(57)【特許請求の範囲】
【請求項１】
持ち運び可能な収納箱の天板部材の把手用収納部に収納された一対の把手と、収納箱の底板側に配設され、かつ、前記把手を横状態に寝かせた場合に付勢バネのバネ力により下方に位置する収納箱の被係合手段にそれぞれ係合する一対の係合爪片と、係合爪片と前記把手とをそれぞれ連結する一対の牽引手段とを備え、同一の形態の収納箱同士を縦方向に重ねた場合に於いて、前記係合爪片は、上方に位置する収納箱の把手を起立状態に持ち上げた場合に該把手の動きに連動し、かつ、前記付勢バネのバネ力に抗して係合解除の方向へと回転することを特徴とする収納箱の連結構造。
【請求項２】
請求項１に於いて、把手３４は、取り付けベース板３１の軸受け部３３，３３に軸架された横軸３５を介して回転可能に設けられていることを特徴とする収納箱の連結構造。
【請求項３】
請求項１に於いて、取り付けベース板３１の外端部には、支板３６を介して係合棒３７が固定的に設けられていることを特徴とする収納箱の連結構造。
【請求項４】
請求項１に於いて、牽引手段５１は可撓性部材であり、係合爪片４１に軸支された連結リンク４７を介して該係合片４１に介在していることを特徴とする収納箱の連結構造。
【請求項５】
請求項１に於いて、天板部材４は、大と小の二枚の板を一体的に結合することにより構成され、収納箱を積み重ねると、下方の収納箱の天板部材４の外側板２０が上方の収納箱の底板２内に入り込むことを特徴とする収納箱の連結構造。
【請求項６】
持ち運び可能な収納箱の天板部材の把手用収納部に収納された一対の把手と、収納箱の底板側に配設され、かつ、前記把手を横状態に寝かせた場合に付勢バネのバネ力により下方に位置する収納箱の被係合手段にそれぞれ係合する一対の係合爪片と、係合爪片と前記把手とをそれぞれ連結する一対の牽引手段とを備え、同一の形態の収納箱同士を縦方向に重ねた場合に於いて、前記係合爪片は、上方に位置する収納箱の把手を起立状態に持ち上げた場合に該把手の動きに連動し、かつ、前記付勢バネのバネ力に抗して係合解除の方向へと回転し、また係合爪片は所定位置まで回転すると、収納箱に配設された回動ロック片により係止され、さらに、回動ロック片は、下方に位置する収納箱の天板部材に当該収納箱を積み重ねた場合に於いて、ロックバネのバネ力に抗して回転し、係合爪片との係合状態が解消することを特徴とする収納箱の連結構造。
【請求項７】
請求項６に於いて、係合爪片４１Ａ及び回動ロック片５５は、収納箱１の側壁３ａの内壁面に固定された支持枠部材４３Ａに固定軸４５，５６を介してそれぞれ軸支されていることを特徴とする収納箱の連結構造。
【請求項８】
請求項６に於いて、回動ロック片５５の長杆部５５ｂの先端部には回転ローラ５７が設けられていることを特徴とする収納箱の連結構造。
【発明の詳細な説明】
【０００１】
【発明の属する技術分野】
本発明は、収納箱の連結構造に関し、特に、同一形態又は同一構造の収納箱を上下方向に組み重ねた場合に適合する収納箱の連結構造に関する。
【０００２】
【従来の技術】
現在、持ち運び可能な収納箱を上下方向に組み重ねた場合に於いて、耐震性を考慮して一体的に結合することが要求されている。反面、国、都道府県、研究所、事務所などが重要な資料、公文書、事件書類などの文書を同一形態の収納箱に整理しておく場合に於いて、長い間保存すべき資料の増加に対応し、一旦結合状態にした同一形態の収納箱を他の収納箱から容易に分離し、かつ、所望の場所へと運搬して整理をすることも要望されている。
【０００３】
本発明者（出願人）は、文書の流れによる効率的な文書管理を目的とする文書整理箱を日本国、米国等に提案した（特公平７−１００３９７）。しかし、先に提案した文書整理箱は、同一形態又は同一構造の箱同士を単に積み重ねるだけであったので、上記のような要望を十分に満足することができなかった。
【０００４】
【発明が解決しようとする課題】
本発明は、従来の文書整理箱の問題点に鑑み、第１の目的は、同一形態の収納箱を上下に積み重ねる場合に於いて、天板部材に設けた把手を操作するだけで、上下の収納箱同士の連結ないし分離を自動的（遠隔的）に図ることができることである。第２の目的は、把手を起立させるというワンタッチ操作をするだけで、そのまま上方に位置する収納箱を所望の場所へと持ち運びすることができることである。第３の目的は、部品点数の削減化を図ることができることである。第４の目的は、組み立て部品点数を減らすことである。第５の目的は、下方の収納箱に同一形態の他の収納箱を積み重ねる際に、下方に位置する収納箱の天板部材に傷を付けない様にすることである。
【０００５】
【課題を解決するための手段】
本発明の収納箱の連結構造は、持ち運び可能な収納箱１の天板部材４の把手用収納部２１に収納された一対の把手３４と、収納箱１の底板２側に配設され、かつ、前記把手３４を横状態に寝かせた場合に付勢バネ４６のバネ力により下方に位置する収納箱の被係合手段３７にそれぞれ係合する一対の係合爪片４１と、係合爪片４１と前記把手とをそれぞれ連結する一対の牽引手段５１とを備え、同一の形態の収納箱１，１同士を縦方向に重ねた場合に於いて、前記係合爪片４１は、上方に位置する収納箱１の把手を起立状態に持ち上げた場合に該把手３４の動きに連動し、かつ、前記付勢バネ４６のバネ力に抗して係合解除の方向へと回転することを特徴とする。
【０００６】
また本発明の収納箱の連結構造は、持ち運び可能な収納箱１Ａの天板部材４の把手用収納部２１に収納された一対の把手３４と、収納箱１Ａの底板２側に配設され、かつ、前記把手３４を横状態に寝かせた場合に付勢バネ４６のバネ力により下方に位置する収納箱の被係合手段３７にそれぞれ係合する一対の係合爪片４１Ａと、係合爪片４１Ａと前記把手とをそれぞれ連結する一対の牽引手段５１とを備え、同一の形態の収納箱１Ａ，１Ａ同士を縦方向に重ねた場合に於いて、前記係合爪片４１Ａは、上方に位置する収納箱１Ａの把手を起立状態に持ち上げた場合に該把手３４の動きに連動し、かつ、前記付勢バネ４６のバネ力に抗して係合解除の方向へと回転し、また係合爪片４１Ａは所定位置まで回転すると、収納箱に配設された回動ロック片５５により係止され、さらに、回動ロック片５５は、下方に位置する収納箱１Ａの天板部材４に当該収納箱を積み重ねた場合に於いて、ロックバネ５８のバネ力に抗して回転し、係合爪片４１Ａとの係合状態が解消することを特徴とする。
【０００７】
【発明の実施の形態】
図１乃至図１２に示す第１実施例を参照にして本発明を詳細に説明する。
【０００８】
（１）発明の実施の環境
まず、図１及び図２を参照に発明の実施の環境（収納箱１）について説明する。１はスチール製の収納箱である。この収納箱１は、主に保存用文書を収納するために使用され、底板２と、この底板に一体的に固定された端面コ字状の側板３と、この側板３に一体的に固定された天板部材４と、天板部材４又は側板３にスライド自在に設けられた開閉戸５から成る。収納箱１は左右一対の把手を介して持ち運び可能である。
【０００９】
（２）底板
底板２は、矩形状の底壁部分２ａと、底壁部分２ａの四側縁から下方方向へそれぞれ連なった短い側壁部分２ｂ，２ｃ，２ｄとから成る。しかして、前壁に相当する短い部分２ｂは、開閉戸５の下端部を支持することができるように段差状に形成されている。また左右の側壁に相当する部分２ｃ，２ｃ及び底壁部分２ａの左右中央部には、小さな切欠部６，６が形成されている。
【００１０】
（３）側板
３ａ，３ａは左右の側壁で、これらの側壁３ａ，３ａの先端部の縁部は、内側に折り曲げ形成されている。３ｂは左右の側壁に連なっている後壁である。ところで、本実施例では開閉戸５用支持部材が側壁に取り付けられている。すなわち、８は上端部に小さな係合溝９を有する左右一対の支持板で、これらの支持板８は側壁３ａ，３ａの先端部の内壁面にそれぞれ固定さている。また１０は開閉戸５を案内する左右一対のガイドレールで、これらのガイドレール１０は、本実施例では天板部材の内側板１５に図示しない固着手段を介してそれぞれ固定されている。
【００１１】
（４）天板部材
図２で示すように、天板部材４は、大と小の二枚の板を一体的に結合することにより構成されている。すなわち、１５は大きい方の内側板で、この内側板１５は、天井部分１５ａと、天井部分１５ａの四側縁から下方へと連なった短い側壁部分１５ｂ，１５ｃ，１５ｄとから成る。しかして、天井部分１５ａの左右中央部には、少なくとも牽引手段用の開口或いは切欠１６が形成されている。また、前壁に相当する側壁部分１５ｂには開閉戸５の幅寸法に相当する戸受入れ用切欠部１７が形成されている。なお、内側板１５にはネジ用孔などが形成されている。
【００１２】
一方、２０は小さい方の外側板で、この外側板２０は、上壁部分２０ａと、上壁部分の四側縁から下方へと連なった短い側壁部分２０ｂ，２０ｃ，２０ｄとから成る。しかして、上壁部分２０ａの左右中央部には、把手収納用の切欠部（収納部）２１，２１がそれぞれ対称的に形成されている。これらの切欠部２１の形状は、後述する把手の形状に対応して方形状に形成されている。ところで、内側板１５の中央には大きな切欠部１８が形成され、この中央切欠部１８は、前述した牽引手段用の開口（本実施例では切欠）１６と連通している。
【００１３】
（５）開閉戸
開閉戸５は、戸枠５ａと、この戸枠５ａ内に取り付けられたガラス５ｂと、前記戸枠５ａの上端部の左右に突設された一対の摺動軸２５，２５と、戸枠５ａの下端部の中央部に装着された開閉戸用ストッパー手段２６とから成る。前記摺動軸２５は、閉戸時に於いて、支持板８の係合溝９に係合し、また開戸時に於いて、開閉戸５を水平状態にして後壁３ｂ側に押し込むと、例えばガイドレール１０を滑動する。
【００１４】
（６）収納箱の連結構造
次に同一形態の収納箱１，１同士の連結構造（機構）について説明する。本発明の連結構造は、収納箱１の天板部材４に設けられた把手３４と、収納箱１の底板２側に配設され、かつ、上方に位置する収納箱の把手を操作した場合に下方の位置する収納箱の係合棒（係合手段）に係脱する係合爪片４１と、この係合爪片と前記把手とを連結する牽引手段５１とから成り、同一の形態の収納箱１，１を縦方向に重ねた場合に適合する。
【００１５】
図３及び図４は、収納箱１を重ねる前の説明図である。また、図５乃至図７は把手の各説明図である。まず、図３ないし図７を参照に把手について説明する。３１は天板部材４の左右端部にそれぞれ固定される取り付けベース板である。この取り付けベース板３１は、内側板１５の内壁面と接合する一対のフランジ部３２，３２を有している。また外端部寄りの部位に一対の軸受け部３３，３３を有している。把手３４は軸受け部３３，３３に軸架された横軸３５を介して取り付けベース板に略９０度回転可能に設けられている。なお、本実施例の把手３４は、平面コ字状のカバー３４ａと、このカバー３４ａに固定された握り部３４ｂとから成る。
【００１６】
また取り付けベース板３１の外端部には、任意形状（例えばＺ形状）の支板３６を介して係合棒３７が固定的に設けられている。このように係合棒３７と把手３４が一体的にセット化された取り付けベース板３１は、内側板１５の中央切欠部１８の下方から嵌め込むようにして天板部材４に装着され、かつ、図示しない固着具を介して固定される。
【００１７】
次に図８及び図９は、収納箱１，１同士を積み重ねた場合に下方に位置する収納箱の係合棒３７に係脱する係合爪片４１である。この係合爪片４１は、本実施例では側板３の側壁３ａ，３ａの内壁面に複数個の固着具４２を介してそれぞれ固定された支持枠部材４３に軸支されている。また係合爪片４１は、底板２の底壁部分２ａから下方へと突出するように切欠部６内に位置している。
支持枠部材４３の形状は特に問わないが、連結リンク用の開口部４４を有している。４５は支持枠部材４３に横設軸架された固定軸で、この固定軸４５に鉤状係合爪片４１が軸支されている。
【００１８】
４６は固定軸４５に巻装された付勢バネ（ねじりコイルバネ）で、この付勢バネ４６は、係合爪片４１を常時下方に位置する収納箱の係合棒３７に係合するように付勢している。なお、付勢バネ４６の一端部４６ａは開口部４４の縁部に係合している。また係合爪片４１は、連結リンク４７の下端部を軸支する突起部４８を有している。
【００１９】
次に係合爪片４１と前記把手３４とを連結する牽引手段５１について説明する。本実施例では牽引手段５１の一例として合成樹脂製ベルトを用いている、牽引手段は、可撓性ないし柔軟性を有する。したがって、可撓性ベルトの他に、紐、合成樹脂製ロープ、ワイヤーなどを使用することができる。
【００２０】
牽引手段５１の上端部５１ａは、把手３４の握り部３４ｂの基端部に固定的に取り付けられ、一方、その他端部５１ｂはバックル状の連結金具５２に取り付けられている。牽引手段５１の上端部５１ａ寄りの部位は、天板部材４の内側板１５の切欠部１６及び取り付けベース板３１の切欠部を通り、かつ、側壁３ａに沿って垂直状態に延びている。なお、前記連結金具５２は、係合爪片と同様に連結リンク４７の上端部を軸支する突起部５３を有している。
【００２１】
上記構成に於いて、収納箱の連結構造（機構）の作用について説明する。図３及び図４は、把手３４を天板部材４の把手用切欠部２１内に収納した場合（寝かした状態）に於いて、係合爪片４１が付勢バネ４６のバネ力により係合方向に回転し、下方に位置する収納箱１の係合棒３７に対して係合可能な状態となった各説明図である。この場合係合爪片４１は、把手３４の回転量に対応して係合方向に回転する。また牽引部材５１は、付勢バネ４６のバネ力により回転する係合爪片４１により引っ張られる。
【００２２】
これに対し、図１０及び図１１は、把手３４を天板部材４の把手用切欠部２１内から引き起こした場合（起立させた状態）に於いて、係合爪片４１が付勢バネ４６のバネ力に抗して係合解除の方向に回転し、その結果、下方に位置する収納箱１の係合棒３７との係合状態が解消した各説明図である。この場合係合爪片４１は、把手３４に連動し、かつ、付勢バネ４６のバネ力に抗して係合解除の方向へと回転するから、牽引部材５１は把手３４に引っ張られた格好になる。
【００２３】
図１２は、複数個の収納箱１，１を縦方向に積み重ねた状態の一例を示す説明図である。この場合把手３４を把手用切欠部２１内に寝かすと、係合爪片４１は下方収納箱１の係合棒３７に係合する（図１３，図１４を参照）。
そこで、上方の収納箱１を下方の収納箱１から取り外して別の場所へと移したい場合には、左右の把手３４，３４を起立状態にする。そうすると、上方収納箱１の係合爪片４１は下方収納箱１の係合棒３７から自動的に外れるので、そのまま上方の収納箱１を持ち運びすることができる。
【００２４】
【実施例】
第１実施例の係合爪片４１は「鉤状」であるが、設計如何によっては「ラッチ形状」に変更することも可能である。以下、この欄では、図１５乃至図１７を参照にして本発明の第２実施例について説明する。なお、第２実施例の説明にあたって、第１実施例と同一の部分には同様の符合を付して重複する説明を省略する。
【００２５】
第２実施例の目的は、下方の収納箱１に他の収納箱１を積み重ねる際に、下方に位置する収納箱の天板部材４の上面に傷を付けない様にすることである。そのために第１実施例の主要部に新たな構成要件を加味している。
すなわち、図１５で示すように、係合爪片４１Ａの突起部４８に対して反対側の部位には、爪状の第２係合部４９が突設され、これに係脱する回動ロック片５５が支持枠部材４３Ａに軸支されている。この回動ロック片５５の形状は、Ｌ字状の杆であり、固定軸４５よりも上方に位置する第２固定軸５６に軸支されている。
【００２６】
しかして、短杆部５５ａは係合爪片４１Ａの第２係合部４９と係脱可能であり、一方、先端部に回転ローラ５７を有する長杆部５５ｂは、係合爪片４１Ａと対向し、かつ、底板２の底壁部分２ａの切欠部６内に位置するように下方へと延びている。５８は回動ロック片５５を係合爪片４１Ａに係合するように付勢するロックバネで、このロックバネ５８は第２固定軸５６に巻装されている。なお、ロックバネ５８の一端部５８ａは、支持枠部材４３Ａの水平部に圧接している。
【００２７】
上記構成において、図１６で示すように係合爪片４１Ａが把手３４の起立に連動して係合解除の方向へと回転した場合には、摺動関係にある回動ロック片５５の短杆部５５ａが係合爪片４１Ａの第２係合部に係合する。したがって、係合爪片４１Ａは、回動ロック片５５に係止され、そのまま（係合解除）の状態である。
【００２８】
そこで、今、下方の収納箱１Ａに他の収納箱１Ａを積み重ねると、下方の収納箱１Ａの天板部材４（外側板２０）が上方の収納箱１Ａの底板２内に入り込む。つまり、上方の収納箱１Ａは下方の収納箱１に嵌合する。この時、回動ロック片５５は、下方の収納箱１Ａの天板部材４に押し上げられるため、第２固定軸５６を支点に係合解除の方向（時計方向）へと回転可能な状態となる。そこで、把手３４を寝かすと、係合爪片４１Ａは付勢バネ４６のバネ力により係合方向（時計方向）へと回転し、下方の収納箱１の係止棒３７に係合する。これにより上下の収納箱１，１は一体的に結合する（図１７参照）。
【００２９】
【発明の効果】
以上の説明から明らかなように、本発明にあっては、次に列挙するような効果がある。
（１）同一の形態の収納箱１，１を縦方向に重ねた場合に於いて、係合爪片は、把手を横状態に寝かせた場合に付勢バネのバネ力により下方に位置する収納箱の係合手段に係合し、一方、把手を起立状態に持ち上げた場合には該把手の動きに連動し、かつ、前記付勢バネのバネ力に抗して係合解除の方向へと回転する。したがって、左右の把手を操作するだけで、上下の収納箱同士の係脱を自動的に図ることができる。
（２）係合爪片は牽引手段を介して把手の動きに連動するので、上方の収納箱を下方の収納箱から取り外して他の場所へと運ぶ際には、把手のワンタッチ操作（把手を起立させる）をするだけで、そのまま上方の収納箱を持ち運びすることができる。
（３）把手、牽引手段、係合爪片などの部品は、それぞれ同一の部品を用いているので、構成する部品点数を減らすことができる。したがって、製造コストの低減化を達成することができる。
（４）請求項２及び請求項３に記載の発明は、取り付けベース板に把手及び係合手段がセット化されているので、組み立て部品点数を減らすことができる。
（５）牽引手段が可撓性部材であり、また連結リンクを介して該係合爪片に介在している実施例の場合には、スムースな係脱状態を図ることができる。
（６）請求項５に記載の発明は、上方に位置する収納箱は、下方に位置する収納箱１の天板部材の外側板に対して嵌合する場合ので、上下の収納箱は、安定的に結合する。
（７）係合爪片が所定位置まで回転すると回動ロック片により係止され、また回動ロック片が、下方に位置する収納箱の天板部材の上面に当該収納箱を積み重ねた場合に於いて、ロックバネのバネ力に抗して回転し、係合爪片との係合状態が解消する場合には、下方に位置する収納箱の天板部材に傷が付かない。特に、回動ロック片の長杆部の先端部には回転ローラが設けられている場合には、その効果は大である。
（８）係合爪片及び回動ロック片が収納箱の側壁の内壁面に固定された支持枠部材に固定軸を介してそれぞれ軸支されている場合には、組み立て部品点数を減らすことができる。
【図面の簡単な説明】
図１乃至図１４は本発明の第１実施例を示す各説明図。図１５乃至図１７は本発明の第２実施例を示す各説明図である。
【図１】第１実施例の斜視図。
【図２】収納箱の分解斜視図。
【図３】把手を寝かした状態であり、かつ、正面から見た概略縦断面説明図。
【図４】把手を寝かした状態であり、かつ、側面から見た概略縦断面説明図。
【図５】把手と天板部材との関係を示す説明図。
【図６】把手を天板部材に装着した場合を示す斜視図。
【図７】主要部材（天板部材と把手）の概略断面説明図。
【図８】主要部材（係合爪片）を側面から見た概略説明図（支持枠部材の一部切欠している）。
【図９】主要部材（係合爪片）を正面から見た概略説明図。
【図１０】把手を起立した状態であり、かつ、正面から見た概略縦断面説明図。
【図１１】把手を起立した状態であり、かつ、側面から見た概略縦断面説明図。
【図１２】同一構造の収納箱同士を積み重ねた状態の概略説明図。
【図１３】上方の収納箱の把手を寝かした場合に於いて、下方の係合爪片の係合状態を示す説明図。
【図１４】図１３を基準として正面側から見た概略断面説明図。
【図１５】第２実施例の主要部を示す概略説明図。
【図１６】収納箱を積み重ねた場合に於いて、係合爪片が把手の起立に連動して係合解除の方向へと回転し、かつ、係合爪片が回動ロック片に係止された状態の説明図。
【図１７】収納箱を積み重ね、かつ、把手を寝かした場合転した場合の説明図。
【符号の説明】
１…収納箱、２…底板、３…側板、４…天板部材、５…開閉戸、１５…内側板、２０…外側板、３１…取り付けベース板、３３…軸受け部、３４…把手、３５…横軸、３６…支板、３７…被係合手段（係合棒）、４１，４１Ａ…係合爪片、４３，４３Ａ…支持枠部材、４５…固定軸、４６…付勢バネ、４７…連結リンク、４８，５３…突起部、４９…第２係合部、５１…牽引手段、５５…回動ロック片、５６…第２固定軸、５７…回転ローラ、５８…ロックバネ。
【図１】
0003806309.tif 000002
【図２】
0003806309.tif 000003
【図３】
0003806309.tif 000004
【図４】
0003806309.tif 000005
【図５】
0003806309.tif 000006
【図６】
0003806309.tif 000007
【図７】
0003806309.tif 000008
【図８】
0003806309.tif 000009
【図９】
0003806309.tif 000010
【図１０】
0003806309.tif 000011
【図１１】
0003806309.tif 000012
【図１２】
0003806309.tif 000013
【図１３】
0003806309.tif 000014
【図１４】
0003806309.tif 000015
【図１５】
0003806309.tif 000016
【図１６】
0003806309.tif 000017
【図１７】
0003806309.tif 000018